(57)【要約】【課題】必要なフロアマイクの回線を１回線ずつ音量調整卓へ自動で接続可能な音量認識処理装置を提供する。【解決手段】複数のＭＩＣ回線１〜Ｘからの音声信号の音量を認識する音量認識処理部２３と、音声信号が入力されたＭＩＣ回線を音声卓入力回線３５を介して音声調整卓５１と接続する切換処理部２４内のマトリクスとを備え、音量認識処理部２３は、音声信号が入力された音声回線のうち、所定の音量のある回線を認識し、切換処理部２４に対して回線接続制御信号を発する音量認識部を有し、音量認識部が発した回線接続制御信号をマトリクスが受信すると、マトリクスは音量認識部が認識した音声回線のみを音声卓入力回線３５を介して音声調整卓５１と接続する。【選択図】図１
2013255019.tif 000002
【特許請求の範囲】
【請求項１】
複数の音声回線からの音声信号の音量を認識する音量認識処理部と、前記音声信号が入力された音声回線を音声調整卓と接続するマトリクスとを備え、
前記音量認識処理部は、音声信号が入力された前記音声回線のうち、所定の音量のある回線を認識し、前記マトリクスに対して回線接続制御信号を発する音量認識部を有し、該音量認識部が発した前記回線接続制御信号を前記マトリクスが受信すると、該マトリクスは前記音量認識部が認識した音声回線のみを前記音声調整卓と接続することを特徴とする音量認識処理装置。
【請求項２】
前記音量認識処理部は、さらに、前記音声調整卓に対して、前記音量認識部によって認識した音声回線の割付要求を行う割付要求部を備えることを特徴とする請求項１記載の音量認識処理装置。
【請求項３】
前記音声信号は、マイクからの音声信号であることを特徴とする請求項１又は２記載の音量認識処理装置。
【発明の詳細な説明】
【技術分野】
【０００１】
本発明は、放送スタジオ等で使用される音声調整卓に適用されるものであって、マイクや音声ソース等の複数の音声入力素材の音量を認識して音声調整卓に接続する音量認識処理装置に関する。
【背景技術】
【０００２】
放送スタジオやレコーディングスタジオ等には、入力した音声素材の音量や音質を調整するための音声調整卓（オーディオミキサー）が設置されている。図５に、従来の音声調整卓を含んだ音声処理システムの構成例を示す。
【０００３】
この音声処理システム５０は、スタジオ１、ラック室３及び副調整室５内に設けられた構成要素を用いており、各室間が回線で接続されている。まず、スタジオ１内では、例えば、１００〜２００回線のフロアマイク１１−１〜１１−Ｘがそれぞれコネクタ１２に接続され、各コネクタ１２から各フロアマイク１１−１〜１１−Ｘにそれぞれ対応したＭＩＣ回線１〜Ｘがラック室３まで延長されている。ＭＩＣ回線１〜Ｘは、ラック室３内のコネクタ板（コネクタボード）３１に集中的に配線されている。なお、ラック室３には、コネクタ板３１が複数設けられることもある。
【０００４】
コネクタ板３１の出力側には、複数のコネクタ３２−１〜３２−ｎが設けられる。コネクタ３２−１〜３２−ｎには、一例として１２本の回線を束ねたケーブル（即ち、マルチケーブル）が接続され、ラック室３内に配置されている音声処理装置（ＤＳＰ）３４側のマルチプラグ３３と接続される。マルチプラグ３３は、例えば、４本のマルチプラグ３３ａ〜３３ｄとされる。マルチプラグ３３ａ〜３３ｄは、それぞれ音声卓入力回線３５によって音声処理装置３４本体と接続される。
【０００５】
この音声処理装置３４は、副調整室５に設けられた音声調整卓５１と接続されており、音声調整卓５１に設けられたフェーダ（図示せず）などを操作することで、音声処理装置３４に入力された音声信号に種々の処理を行うようになっている。
【０００６】
一般に、音声調整卓５１で操作される回線数（具体的には、音声処理装置３４側のマルチプラグ３３の数）は、コネクタ板３１の出力側のコネクタ３２の数ｎより少ない。例えば、スタジオ１のコネクタ１２からのＭＩＣ回線数Ｘを２００とし、これを１２本に束ねた場合は、出力側のコネクタ３２の個数ｎは約１６となる。一方、ＤＳＰ３４側の入力用のマルチプラグ３３は通常４つ程度とされる。
【０００７】
このため、従来は、音声処理を必要とするＭＩＣ回線が含まれているコネクタ３２−１〜３２−ｎを選び出し、そのコネクタ３２−１〜３２−ｎと、マルチプラグ３３ａ〜３３ｄとを手作業によりマルチケーブルで接続していた（例えば、特許文献１，２参照）。
【先行技術文献】
【特許文献】
【０００８】
【特許文献１】特開２００７−２５９２５１号公報
【特許文献２】特開２００２−２９０３６０号公報
【発明の概要】
【発明が解決しようとする課題】
【０００９】
しかしながら、音声処理装置３４との接続はマルチプラグ単位で行われるため、これまで、フロアマイク１１−１〜１１−ｎの特定の回線を１回線ずつ接続することができなかった。
【００１０】
このため、コネクタ板３１の出力用コネクタ３２−１〜３２−ｎ中に、音声処理を必要としない（即ち、音声信号の入力がない）回線が含まれていた場合は、上記手作業で音声処理装置３４と接続されると、この回線が無駄になってしまっていた。
【００１１】
また、上記接続を行う場合は、作業者がラック室３に行き、手作業でマルチプラグ３３の接続をするという煩雑な作業を行う必要があった。
【００１２】
さらに、作業者が手作業で接続を行うため、フロアマイク１１の回線と音声調整卓５１のインプット素材の不一致（操作ミス）が生じることがあった。
【００１３】
本発明は、上記課題に鑑みてなされたものであり、必要なフロアマイク１１の回線を１回線ずつ音量調整卓５１へ自動で接続可能な音量認識処理装置を提供することを目的とする。
【課題を解決するための手段】
【００１４】
上述の目的を達成するため、本発明の音量認識処理装置は、複数の音声回線からの音声信号の音量を認識する音量認識処理部と、前記音声信号が入力された音声回線を音声調整卓と接続するマトリクスとを備え、前記音量認識処理部は、音声信号が入力された前記音声回線のうち、所定の音量のある回線を認識し、前記マトリクスに対して回線接続制御信号を発する音量認識部を有し、該音量認識部が発した前記回線接続制御信号を前記マトリクスが受信すると、該マトリクスは前記音量認識部が認識した音声回線のみを前記音声調整卓と接続することを特徴とする。
【発明の効果】
【００１５】
本発明によれば、必要なフロアマイク回線を１回線ずつ音量調整卓へ自動で接続可能な音量認識処理装置を提供することができる。
【図面の簡単な説明】
【００１６】
【図１】本発明の一実施形態に係る音量認識処理装置を含んだ音声処理システムの構成を示すブロック図である。
【図２】本実施形態の音量認識処理部の構成を示すブロック図である。
【図３】本実施形態の切換処理部の構成を示すブロック図である。
【図４】本実施形態の音量認識処理方法の処理手順を示すフローチャートである。
【図５】従来の音声処理システムの構成例を示すブロック図である。
【発明を実施するための形態】
【００１７】
以下、本発明の実施形態について、図面を参照して具体的に説明する。
（全体構成）
図１に、本発明の一実施形態に係る音量認識処理装置を含んだ音声処理システムの構成を示す。
【００１８】
この音声処理システム１０は、スタジオ１、ラック室２及び副調整室５内に設けられた構成要素を用いており、ラック室２以外のスタジオ１及び副調整室５内の構成要素は、従来の音声処理システム５０と同様とされている。
【００１９】
即ち、スタジオ１内で、例えば、１００〜２００回線のフロアマイク１１−１〜１１−Ｘがそれぞれコネクタ１２に接続され、各コネクタ１２から各フロアマイク１１−１〜１１−Ｘにそれぞれ対応したＭＩＣ回線１〜Ｘがラック室２まで延長されている。
【００２０】
ラック室２には、音量認識処理装置２１及び音声処理装置（ＤＳＰ）３４が設けられているが、音声処理装置３４は図５に示す従来の音声処理装置と同一であるため、以下、音量認識処理装置２１を中心にして説明する。
【００２１】
音量認識処理装置２１は、音量認識処理部２３と切換処理部２４を備えており、両者は、ＭＩＣ回線１〜ＭＩＣ回線Ｘで接続されている。
【００２２】
（音量認識処理部２３）
図２に、音量認識処理部２３の構成を示す。音量認識処理部２３は、音量認識部２６と、割付要求部２７とを備えている。
【００２３】
音量認識部２６は、音量認識処理部２３に入力されたＭＩＣ回線１〜ＭＩＣ回線Ｘのうち、所定の音量のあるものを認識し、後述するマトリクス２８に対して音声卓入力回線３５への接続制御信号を発するようになっている。なお、上記音量のレベルは、任意に設定可能とされる。
【００２４】
割付要求部２７は、音量認識部２６によって認識したＭＩＣ回線からの音声信号を、音声調整卓５１のどのフェーダ（図示せず）によって制御（音声処理）するかについて、ＭＩＣ回線の割付要求の指令を音声調整卓５１に対して発するようになっている。
【００２５】
（切換処理部２４）
図３に、切換処理部２４の構成を示す。切換処理部２４は、マトリクス２８と、該マトリクス２８を制御する回線制御部２９とを備えている。マトリクス２８は、回線制御部２９を介して、音量認識部２６が発した接続制御信号を受信すると、音声信号が入力されたＭＩＣ回線のみを検出して、その回線を音声処理装置３４の音声卓入力回線３５と接続するようになっている。また、マトリクス２８は、例えば、２００回線のＭＩＣ回線を入力し、音声卓入力回線３５が処理可能な約５０回線を出力できるようにされている。
【００２６】
（作用）
次に、図４に基づいて、本実施形態の音量認識処理方法の処理手順を説明する。
【００２７】
まず、スタジオ１でフロアマイク１１−１〜１１−Ｘのうち、所定のフロアマイクから音声が入力されると（ステップＳ１１）、音量認識処理部２３の音量認識部２６は、音量の認識を行い（ステップＳ１２）、音量レベルが所定の音量以上であるかを判断する（ステップＳ１３）。音量レベルが所定の音量以上であれば（ステップＳ１３のＹＥＳ）、マトリクス２８に対して、接続制御信号を発する。この接続制御信号により、マトリクス２８は、所定の音量レベルを認識したＭＩＣ回線と音声卓入力回線３５との接続を行う（ステップＳ１４）。
【００２８】
続いて、音量認識処理部２３の割付要求部２７は、音声調整卓５１に対して割付要求を行うための割付要求信号を発する（ステップＳ１５）。
【００２９】
音声調整卓５１は、割付要求部２７からの割付要求信号を受信すると、予め設定・記憶されたＭＩＣ回線１〜ＸのＩＤとフェーダのＩＤとの対応データテーブルに基づき、認識されたＭＩＣ回線とフェーダの割付けを行う。
【００３０】
一方、音量レベルが所定の音量未満であれば（ステップＳ１３のＮｏ）、そのＭＩＣ回線と音声卓入力回線３５との接続が行われず、スタジオ１での所定のフロアマイク１１−１〜１１−Ｘからの音声入力段階に戻る（ステップＳ１１）。
【００３１】
なお、上記の音量認識から自動割付けまでの手順は、音声調整卓５１または音声処理装置３４が設定モードの際に行う。この設定モードにおいて、マイクのテストを行うことにより音声信号の有無を判断させる。このようにすることにより、運用時にマイクの音声の有無により勝手に回線の切換が行われることを防止できる。
【００３２】
（効果）
本実施形態では、以下のような効果を奏することができる。
【００３３】
（１）音声が入力された必要な回線のみを１回線ずつ接続が可能になることにより、回線を有効に使用することができる。このため、従来例とは異なり、音声処理を必要としないＭＩＣ回線が音声処理装置３４と接続されることがなくなり、ＭＩＣ回線が無駄になることがない。
【００３４】
（２）手作業によるマルチプラグの接続変更が必要なく、効率的になる。即ち、従来例とは異なり、作業者がラック室３に行き手作業でマルチプラグ３３の接続をするという煩雑な作業を行う必要がなくなる。
【００３５】
（３）認識したＭＩＣ回線を自動で割付けることで、フロアマイク１１の回線と音声調整卓５１のインプット素材の不一致（操作ミス）を防ぐことが可能になる。
【００３６】
（他の実施形態）
（１）上記実施形態では、入力音源としてフロアマイク１１−１〜１１−ｎの例を示したが、一部又は全部が他の音源でも良く、ＣＤなどの他の音源全般を用いることができる。
【００３７】
（２）上記実施形態では、スタジオが１つの例を示したが、スタジオを複数設けて、各スタジオからのマイク回線群をラック室２の音量認識処理部２３に接続することもできる。
【００３８】
（３）上記実施形態では、音声調整卓５１が、予め設定・記憶されたＭＩＣ回線１〜ＸのＩＤとフェーダのＩＤとの対応データテーブルに基づきＭＩＣ回線とフェーダの割付けを行ったが、この手順以外にも、音声調整卓５１がＭＩＣ回線の音声信号の有無を検出し、音声信号を検出する度にＭＩＣ回線が割付けられていない新たなフェーダの割付けを行っても良い。
【００３９】
（４）また、上記実施形態で、割付要求部２７が割付要求の指令を発する際に、マイクに関する情報を乗せても良い。
【００４０】
（５）以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４１】
１…スタジオ
２，３…ラック室
５…副調整室
１０…音声処理システム
１１，１１−１〜１１−ｎ…フロアマイク
１２…コネクタ
２１…音量認識処理装置
２３…音量認識処理部
２４…切換処理部
２６…音量認識部
２７…割付要求部
２８…マトリクス
２９…回線制御部
３４…音声処理装置（ＤＳＰ）
３５…音声卓入力回線
５１…音声調整卓
【図１】
2013255019.tif 000003
【図２】
2013255019.tif 000004
【図３】
2013255019.tif 000005
【図４】
2013255019.tif 000006
【図５】
2013255019.tif 000007